(57)【要約】      （修正有）【課題】容器内から、大量の水の汲み出しやゴミ等の除去を行う時に強い吸引力を発揮し得る水流ポンプを提供する。【解決手段】水栓に接続される脱着可能な流水管１と、この流水管１の内腔に向けて開口する複数の吸引枝管３と、この複数の吸引枝管に接続する吸引本管４を備えた水流ポンプを構成する。複数の吸引枝管の吸引力が統合されて、吸引本管の吸引口より強力に吸引する事が可能となる。さらに吸引枝管に開閉調節バルブ５を配して、吸引力の調節が容易となる様に構成する。【選択図】図１
0003155790.tif 000002
【実用新案登録請求の範囲】
【請求項１】
水栓に接続される脱着可能な流水管と、前記流水管の内腔に接続する複数の吸引枝管と、複数の前記吸引枝管が接続する吸引本管を備えた事を特徴とする水流ポンプ。
【請求項２】
複数の前記吸引枝管の先端が前記流水管の内腔に開口する事を特徴とする請求項１に記載の水流ポンプ。
【請求項３】
複数の前記吸引枝管は、前記流水管の内腔において下流側に開口する事を特徴とする請求項１または２に記載の水流ポンプ。
【請求項４】
前記吸引本管および複数の前記吸引枝管に開閉調節バルブを有する請求項１〜３のいずれかに記載の水流ポンプ。
【考案の詳細な説明】
【技術分野】
【０００１】
本考案は、水流ポンプに関するものであり、電力および動力を必要とせず、水流のみで強い吸引力を得る事ができる。
【背景技術】
【０００２】
空気または水等を吸引する場合、一般的には、水流ポンプ（アスピレーター）がある。アスピレーターは、ベルヌーイ効果およびベンチュリ効果を応用したものである。水流ポンプ（アスピレーター）は、流水管の内腔に向けて、吸引管が開口した構造をしており、流水管に水を流したとき、水流による引込み力によって、吸引管内が陰圧となり、吸引管の他方の側開口から吸引できる構造となっている。
【０００３】
水流ポンプ（アスピレーター）は、各種の試験および実験等で、吸引する場合、濾過する場合等、様々な用途で利用されている。例えば、特許文献１には、スカム（排水口または排水溝にできた汚水の汚泥）を吸引除去する場合に最適なものとして、高い吸引力が得られ、スカムのみを除去可能な水流ポンプ構造が提案されている。特許文献１の水流ポンプは、水流ポンプ本体の吐出口を水封する構造としたものであり、この水封構造により外部からの空気の流入が遮断される結果、吸引力が高められ、また水量の変化に対応させた吸引力を発揮させることができるというものである。特許文献２の水流ポンプは、水流ポンプ本体の流水管が螺旋状となり、そこに複数の吸引管が開口する結果、吸引力が高められことができるというものである。
【先行技術文献】
【特許文献】
【０００４】
【特許文献１】特開平８−１０９９００号公報「水流ポンプ」
【特許文献２】特開２００８−６９６５５号公報「水流ポンプ」
【考案の概要】
【考案が解決しようとする課題】
【０００５】
特許文献１および特許文献２の水流ポンプは、吸引力が高められたものの、水流ポンプ本体の流水管および吸引管の内部構造が複雑である。これらの流水ポンプで不純物を吸引した場合、流水管および吸引管の内腔、吸引管の開口部には、様々な沈殿物（ゴミ）等が付着する。内腔および開口部に沈殿物が付着した場合、極度に吸引力が低下する。吸引力を回復させるには、頻繁に内部を清掃する必要があるが、流水ポンプの構造が複雑であったり、分解が困難である場合は、流水ポンプの寿命が比較的短期間となってしまい、結果的にコストが上昇してしまう。
【０００６】
特許文献１および特許文献２の水流ポンプは構造が複雑であるため、流水管および吸引管の内腔、吸引管の開口部等に付着したゴミを除去するためには、流水ポンプの構造を簡素化する必要がある。
【０００７】
また、電力および動力を必要とせず、水流のみで強い吸引力を得る事ができ、様々な沈殿物を吸い取っても、吸引力が低下しない水流ポンプが求められている。
【０００８】
そこで、本考案においては、メンテナンスが容易で、強い吸引力を発揮し得る水流ポンプを提供することを目的とする。
【課題を解決するための手段】
【０００９】
本考案の水流ポンプは、上記課題を鑑みて、以下の構成を有している。
【００１０】
本考案に係る水流ポンプは、水栓に接続される脱着可能な流水管と、この流水管の内腔に向けて開口する複数の吸引枝管と、この複数の吸引枝管が接続する吸引本管を備えた水流ポンプである事を特徴とする。
【００１１】
上記のように、流水管が脱着可能となっている事から、流水管の内腔に沈殿物（ゴミ）が付着した場合、容易に内腔を清掃する事ができる。速い水流が確保される事によって、流水管内腔に開口する吸引枝管内が陰圧になり、吸引枝管に強力な吸引力が作用する事となる。そして、複数本の吸引枝管が流水管に開口している事から、複数の吸引枝管を集合する吸引本管では、個々の吸引枝管での引き込む力が加算され、強力な吸引力を発揮する事になる。
【００１２】
吸引枝管は、流水管の内壁面に対して垂直に取り付けるより、吸引枝管の先端を流水管の内腔に対して下流方向に取り付ける方が、吸引力は増大する。脱着可能な流水管であって、定期的な清掃を勘案すると、適度な流速を得るためには、細く直線的な形状が良い。流水管内での水速を考慮し、複数の吸引枝管を流水管内腔に開口させる。
【００１３】
さらに、複数の吸引枝管が流水管の内腔に対して、下流側に開口を取り付けた方が、流水管内を流れる水の引き込み力が、吸引枝管の開口に対して効率的に作用する。
【００１４】
また、流水管の内腔において、下流に向けて取り付ける吸引枝管の開口部が、ラッパ状に広がって開口する構造が良い。ラッパ状の開口部は、流水により生じる引き込み力が、強い吸引力を得る事ができる。開口部がラッパ状の場合には、流水管の内腔が狭窄する事になるので、流水が加速されて強い引き込み力を発揮する事となるため、吸引枝管への吸引力が一層効果的になる。
【００１５】
また、本考案において、吸引本管が流水管に対して垂直に配置されたものである事が好ましい。このような配置にすれば、水流ポンプ全体がシンプルで簡素化した構造となる。
【００１６】
さらに、本考案において、流水管の軸は垂直方向に配置した方が良い。流水管を垂直方向に配置して下側に水を流す事により、下側に重力が作用する事になる。水栓からの吐出力に重力が加わり、流水管内の流速が速くなって、吸引枝管および吸引本管に対する吸引力が強くなる。
【００１７】
加えて、本考案においては、吸引管に開閉調節バルブが設けられたものである事が好ましい。例えば、吸引本管の吸引口を容器に挿入した状態で、開閉バルブを操作すれば、容器からの吸引量を容易に調節する事ができる。
【考案の効果】
【００１８】
本考案は、流水ポンプとして、強力な吸引力を発揮する事ができる。使用中、流水管および吸引管の内腔に沈殿物（ゴミ）等が付着した場合でも、簡単に分解して内部を清掃し、簡便に吸引力を回復させる事ができる。
【図面の簡単な説明】
【００１９】
【図１】図１は、水流ポンプの側面図である。
【図２】図２は、図１に示す水流ポンプの流水管と吸引枝管の断面図である。
【考案を実施するための形態】
【００２０】
以下、本考案の実施の形態を図に基づいて説明する。
【００２１】
図１は、水流ポンプの側面図である。
【００２２】
水流ポンプは、直線状の流水管と、流水管に対して垂直に配置された吸引本管と、これら流水管と吸引本管を接続するように配置された複数の吸引枝管からなる。流水管の上端は、水栓に着脱可能となっている。複数の吸引枝管の片側は流水管に開口して接続され、複数の吸引枝管の他の片側は吸引本管に開口して接続している。流水管と吸引本管に対して、複数の吸引枝管が接続する構造となっている。吸引本管の片側には吸引口があり、吸引本管の他の片側は閉じられており、これにより吸引力は吸引口に対してのみ作用する事となる。
【００２３】
図２は、図１に示す水流ポンプについて、その流水管への吸引枝管の接続の構造を説明する断面図である。
【００２４】
吸引枝管の片側は、先端がラッパ状の開口部となっており、開口部に管径の細い管部が接続した構造となっている。吸引枝管の開口部は、流水管の内腔に接続しており、下側にその開口部を向けて配置されている。吸引枝管の他の片側は、吸引本管に接続している。吸引本管には、全部の吸引枝管が接続されている。
【００２５】
次に、上記水流ポンプの使用方法について説明する。
【００２６】
図１に示す様に、流水管の着脱部を容器内に接続して、水流ポンプをほぼ鉛直方向に配置し、水栓から水を流す。流水管の内腔では水流によって開口部が陰圧となり、吸引枝管から吸引される事となる。この時、開口部は内腔に向けてラッパ状をしているので、開口の部分では相対的に流水管の内腔での水の流路が絞り込まれた状態となる事から水流が加速され、開口部分に吸引力が作用する。さらに、流水管がほぼ垂直方向に配置され、流水管は全体として充分な高さがあるので、その落差による重力が内腔の水に作用し、水流がより加速される事となる。この時、水栓から供給された水は、流水管排出口から排出される事になる。
【００２７】
個々の吸引枝管の吸引力が統合され、吸引本管に大きな吸引力を生じる。この強力な吸引力を利用すれば、容器内の水を迅速に排出する事ができる。
【００２８】
さらに、開閉調節バルブを操作すれば、容器内の水の排出を容易に調節する事ができる。容器内の水の排出作業時に、吸引本管の吸引口を容器内に挿入して吸水していた状態のまま、開閉調節バルブを操作するだけで、排出の速度を調節する事が可能となる。
【産業上の利用可能性】
【００２９】
以上述べたように、本考案の水流ポンプは、電力および動力を必要とせず、水流のみで強力な吸引力を発揮する事ができる。流水ポンプの構造を簡素化したため、内部を頻繁に清掃する事が容易となる。このため、流水管および吸引管の内腔、吸引管の開口部等に付着したゴミの除去が容易で、様々な沈殿物を吸い取っても、吸引力が低下しない水流ポンプである。結果的に、流水ポンプの寿命は長くなる。
【符号の説明】
【００３０】
１  流水管
２  開口部分
３  吸引枝管
４  吸引本管
５  開閉調節バルブ
６  水栓
７  排出口
８  水流
【図１】
0003155790.tif 000003
【図２】
0003155790.tif 000004